(57)【特許請求の範囲】
【請求項１】
データを再生する再生制御装置であって、
データを取得する取得部と、
前記取得部が取得したデータを再生する再生部と、
当該再生制御装置のいかなる状態においても、前記データを全て再生することは禁止し、前記取得部が取得した全データよりも少ない量のデータのみの再生を許可するように前記再生部を制御する再生制御手段と、
を備えることを特徴とする再生制御装置。
【請求項２】
前記再生制御手段は、前記取得部が取得したデータ数より少ない数、又は前記データの記録時間より短い時間で、前記データの再生を許可するように前記再生部を制御して、全記録数のデータ、又は前記データの総記録時間は再生しないように前記再生部を制御する、
ことを特徴とする請求項１に記載の再生制御装置。
【請求項３】
前記データは、画像データであり、
前記再生部は、表示部であり、
前記再生制御手段は、前記取得部が取得した全画像データよりも少ない量の画像データのみの再生を許可するように前記表示部を制御する、
ことを特徴とする請求項１又は２に記載の再生制御装置。
【請求項４】
前記再生制御手段は、
前記画像データが静止画の場合は、前記取得部が取得した画像データ数より少ない数の静止画を再生するように前記表示部を制御し、
前記画像データが動画の場合は、当該動画の記録時間より短い時間、当該動画を再生するように前記表示部を制御する、
ことを特徴とする請求項３に記載の再生制御装置。
【請求項５】
前記取得部は、外部装置が保持するデータを取得する、
ことを特徴とする請求項３又は４に記載の再生制御装置。
【請求項６】
前記再生制御手段は、前記取得部が取得した全データよりも少ない量のデータを再生した後に、前記外部装置で残りの再生を行うように促す旨の表示を行うように前記表示部を制御する、
ことを特徴とする請求項５に記載の再生制御装置。
【請求項７】
前記外部装置が保持する画像データを受信する受信部を備え、
前記再生制御手段は、
前記受信部で受信した画像データが静止画の場合は、前記外部装置が保持する画像データの記録枚数より少ない数の静止画を再生するように前記表示部を制御し、
前記受信部で受信した画像データが動画の場合は、当該動画の記録時間より短い時間、当該動画を再生するように前記表示部を制御する、
ことを特徴とする請求項５又は６に記載の再生制御装置。
【請求項８】
前記外部装置が保持する画像データを受信する受信部を備え、
前記受信部は、前記外部装置から前記外部装置が保持する画像データの記録枚数より少ない数、又は、前記外部装置が保持する画像データの記録時間より短い時間、の画像データを受信し、
前記再生制御手段は、受信した画像データを再生するように前記表示部を制御する、
ことを特徴とする請求項５又は６に記載の再生制御装置。
【請求項９】
前記外部装置は、静止画撮影、及び又は、動画撮影が可能な撮像装置であり、
当該再生制御装置は、前記撮像装置を制御可能なウェアラブル型装置である、
ことを特徴とする請求項５乃至８の何れか一項に記載の再生制御装置。
【請求項１０】
当該再生制御装置は、腕時計型装置である、
ことを特徴とする請求項９に記載の再生制御装置。
【請求項１１】
データを再生する再生部を備える再生制御装置で実行される再生制御方法であって、
データを取得する取得ステップと、
当該再生制御装置のいかなる状態においても、前記データを全て再生することは禁止し、前記取得ステップが取得した全データよりも少ない量のデータのみの再生を許可するように前記再生部を制御する再生制御ステップを含む、
ことを特徴とする再生制御方法。
【請求項１２】
データを再生する再生部を備える再生制御装置を制御するコンピュータを、
データを取得する取得部、
当該再生制御装置のいかなる状態においても、前記データを全て再生することは禁止し、前記取得部が取得した全データよりも少ない量のデータのみの再生を許可するように前記再生部を制御する再生制御手段、
として機能させることを特徴とするプログラム。
【発明の詳細な説明】
【技術分野】
【０００１】
本発明は、再生制御装置、再生制御方法及びプログラムに関する。
【背景技術】
【０００２】
従来より、テレビ受像器に接続される本体装置に保持されている画像のデータをリモコン端末で表示するシステムがある（特許文献１参照）。特許文献１の技術では、リモコン端末で本体装置を操作することで、テレビ受像器での表示とは別に、本体装置に保持されている画像の再生画面を表示する。
【先行技術文献】
【特許文献】
【０００３】
【特許文献１】特開２００１−１０３３３４号公報
【発明の概要】
【発明が解決しようとする課題】
【０００４】
しかしながら、上述した特許文献１に記載の技術では、リモコン端末から本体装置（外部装置）への操作を行い、リモコン端末で外部装置に保持されている全ての画像の視聴を可能としているため、長時間視聴することによる不具合があった。
【０００５】
本発明は、このような状況に鑑みてなされたものであり、データを長時間再生することによる不具合を解消することを目的とする。
【課題を解決するための手段】
【０００６】
上記目的を達成するため、本発明の一態様の再生制御装置は、
データを再生する再生制御装置であって、
データを取得する取得部と、
前記取得部が取得したデータを再生する再生部と、
当該再生制御装置のいかなる状態においても、前記データを全て再生することは禁止し、前記取得部が取得した全データよりも少ない量のデータのみの再生を許可するように前記再生部を制御する再生制御手段と、
を備えることを特徴とする。
【発明の効果】
【０００７】
本発明によれば、データを長時間再生することによる不具合を解消することができる。
【図面の簡単な説明】
【０００８】
【図１】本実施形態の一実施形態に係る表示システムＳのシステム構成図である。
【図２】本実施形態の簡易表示を説明するための模式図である。
【図３】本発明の一実施形態に係るリスト端末２のハードウェアの構成を示すブロック図である。
【図４】図３のリスト端末２の機能的構成のうち、簡易表示処理を実行するための機能的構成を示す機能ブロック図である。
【図５】図４の機能的構成を有する図３のリスト端末２が実行する簡易表示処理の流れを説明するフローチャートである。
【発明を実施するための形態】
【０００９】
以下、本発明の実施形態について、図面を用いて説明する。
【００１０】
図１は、本実施形態の一実施形態に係る表示システムＳのシステム構成図である。
表示システムＳは、図１に示すように、携帯端末１と、ユーザの腕に取り付けて使用するリスト端末２とで構成される。
【００１１】
携帯端末１は、例えば、スマートフォンで構成され、静止画や動画の画像を撮影可能な撮像機能と、撮影した画像を記憶しておく記憶機能と、リスト端末２との間でデータのやり取りを行う通信機能を有する。
【００１２】
リスト端末２は、例えば、腕時計型装置であるスマートウォッチで構成され、携帯端末１との間でデータのやり取りを行う通信機能と、画像を表示する表示機能と、表示の切り替え等を行う入力機能と、を有する。
【００１３】
このように構成される表示システムＳでは、携帯端末１で撮影した画像を簡易的にリスト端末２で表示（以下、「簡易表示」という。）し、ユーザに簡単に確認させることができる機能を有する。
より詳細に述べると、本実施形態の簡易表示では、リスト端末２のいかなる状態においても、携帯端末１に記憶されている画像を全て再生することは禁止し、携帯端末１に記憶されている画像よりも少ない量の画像のみの再生を許可する。
【００１４】
図２は、本実施形態の簡易表示を説明するための模式図である。
簡易表示は、携帯端末１での撮影後の画像の確認等を目的として手元のリスト端末２で行う。
リスト端末２では、図２に示すように、例えば、スルー画像が表示されるスルー画面において、簡易表示開始操作（本実施形態においては、上下フリック操作）を行うと、簡易表示画面に移行して、画像が表示される。簡易表示画面において、画像の切り替え操作（本実施形態においては、左右フリック操作）を行うと、画像の切り替え表示を行うことができる。
本実施形態において、画像の切り替えは、所定枚数（例えば、２０枚）の画像データの表示を上限としている。画像の切り替えが上限に達した場合には、簡易表示画面を終了し、記憶元の携帯端末１での確認を促すメッセージ［続きは、携帯端末で見て下さい。］の画面（以下、「誘導画面」という。）を表示する。
なお、画像の切り替え枚数は、携帯端末１に記憶されている画像の総数から少なくなるように決定される。また、連写等の一連の撮影を行った場合には、一連の撮影において撮影された画像の総数から簡易表示の枚数が決定される。
【００１５】
また、表示された画像が動画の場合には、動画の初期フレームの画像が表示されると共に、再生アイコンＩ１が表示され、当該再生アイコンＩ１を選択（本実施形態においては、タッチ操作）することで、動画の再生が開始される。動画の再生は所定時間（例えば、最大１０秒）が経過したら終了する。動画の再生が終了した場合には、静止画と同様に、簡易表示画面を終了し、誘導画面を表示する。
なお、動画の再生時間は、携帯端末１に記憶されている各動画の総再生時間よりも短く決定される。即ち、１つの動画の再生時間が６０秒であった場合には、例えば、最大１０秒とする。
【００１６】
また、簡易表示は、リスト端末２で行うために、表示する枚数や再生する時間に制限を設けて、ユーザの確認に際しての安全面を考慮している側面もある。
安全面を考慮した場合、表示する枚数や時間の制限の他に、箇所を探し出さないようにするために表示する画像の細部を表示しないようにしてもよい。また、ユーザの撮影意図が反映された部分（例えば、フォーカス部分）が確認したい部分である蓋然性が高いために積極的に該当部分のみを表示するように構成してもよい。さらに、画像全体を即座に把握しやすいように、画像を概略化したり、簡素化したりして表示させるように構成してもよい。この場合、エッジを抽出して、強調的に表示したり、全体をぼかしたり、主要部分のみを切り出して一部を表示するようにしてもよい。
【００１７】
図３は、本発明の一実施形態に係るリスト端末２のハードウェアの構成を示すブロック図である。
リスト端末２は、図３に示すように、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、入力部１６と、出力部１７と、記憶部１８と、通信部１９と、ドライブ２０と、を備えている。
【００１８】
ＣＰＵ１１は、ＲＯＭ１２に記録されているプログラム、又は、記憶部１８からＲＡＭ１３にロードされたプログラムに従って各種の処理を実行する。
【００１９】
ＲＡＭ１３には、ＣＰＵ１１が各種の処理を実行する上において必要なデータ等も適宜記憶される。
【００２０】
ＣＰＵ１１、ＲＯＭ１２及びＲＡＭ１３は、バス１４を介して相互に接続されている。このバス１４にはまた、入出力インターフェース１５も接続されている。入出力インターフェース１５には、入力部１６、出力部１７、記憶部１８、通信部１９及びドライブ２０が接続されている。
【００２１】
入力部１６は、各種釦やタッチ入力可能なタッチパネル等で構成され、ユーザの指示操作に応じて各種情報を入力する。
【００２２】
出力部１７は、ディスプレイやスピーカ等で構成され、画像や音声を出力する。
なお、本実施形態のリスト端末２では、ディスプレイで構成される出力部１７にタッチ入力可能な入力部１６が重畳的に配置される、所謂タッチパネルを構成する。
【００２３】
記憶部１８は、ハードディスク或いはフラッシュメモリ等で構成され、画像や音声等の各種データを記憶する。
【００２４】
通信部１９は、インターネットを含むネットワークを介して他の装置（図示せず）との間で行う通信を制御する。また、通信部１９は、携帯端末１との間では、Ｂｌｕｅｔｏｏｔｈ（登録商標）やｗｉ−ｆｉ等の近距離無線通信を通信方式として採用する。
【００２５】
ドライブ２０には、磁気ディスク、光ディスク、光磁気ディスク、或いは半導体メモリ等よりなる、リムーバブルメディア３１が適宜装着される。ドライブ２０によってリムーバブルメディア３１から読み出されたプログラムは、必要に応じて記憶部１８にインストールされる。また、リムーバブルメディア３１は、記憶部１８に記憶されている画像のデータ等の各種データも、記憶部１８と同様に記憶することができる。
【００２６】
図４は、図３のリスト端末２の機能的構成のうち、簡易表示処理を実行するための機能的構成を示す機能ブロック図である。
簡易表示処理とは、携帯端末１に記憶される画像の一部をリスト端末２で簡易的に表示する一連の処理をいう。
【００２７】
簡易表示処理を実行する場合には、図４に示すように、ＣＰＵ１１において、簡易表示管理部５１と、画像取得部５２と、出力制御部５３と、入力検出部５４と、が機能する。
【００２８】
簡易表示管理部５１は、簡易表示に係る管理を行う。
具体的には、簡易表示管理部５１は、通信部１９を介して、携帯端末１に記憶されている画像の枚数、及び又は、動画の再生時間を確認する。簡易表示管理部５１は、確認結果に基づいて、携帯端末１に記憶されている画像の枚数よりも少ない数の表示上限と、携帯端末１に記憶されている動画の再生時間よりも短い再生時間を決定する。また、簡易表示管理部５１は、表示枚数が上限に達したか、及び又は、動画の再生時間が前記決定した再生時間に達したか否かを判定する。
【００２９】
画像取得部５２は、携帯端末１から簡易表示に用いる画像を取得する。
画像取得部５２は、簡易表示管理部５１による確認結果に基づいて、通信部１９を介して、携帯端末１から簡易表示に用いる画像（記憶される画像の一部）を取得する。画像取得部５２は、例えば、３５枚の画像が携帯端末１に記憶されている場合に、全ての画像の一部となる２０枚の画像を取得する。
【００３０】
出力制御部５３は、画像を表示するように出力部１７を制御する。
具体的には、出力制御部５３は、簡易表示用の画像を表示するように出力部１７を制御する。出力制御部５３は、表示する画像が動画である場合には、動画の初期フレームと、動画再生アイコンと、を表示するように出力部１７を制御する。また、出力制御部５３は、動画を所定時間再生するように出力部１７を制御する。また、出力制御部５３は、動画の所定時間の再生が終了したため、誘導画面を表示するように出力部１７を制御する。また、出力制御部５３は、表示枚数が上限に達したため、誘導画面を表示するように出力部１７を制御する。
【００３１】
入力検出部５４は、入力部１６に対する操作を検出する。
具体的には、入力検出部５４は、動画再生アイコンが表示されている場合に、入力部１６に対して動画再生アイコンに対する選択操作や切り替え操作を検出する。
【００３２】
図５は、図４の機能的構成を有する図３のリスト端末２が実行する簡易表示処理の流れを説明するフローチャートである。
簡易表示処理は、例えば、スルー画面表示状態において、ユーザによる入力部１６への簡易表示処理開始の操作により開始される。
【００３３】
ステップＳ１１において、簡易表示管理部５１は、通信部１９を介して、携帯端末１に記憶されている画像の枚数、及び又は、動画の再生時間を確認する。確認結果を受けて、簡易表示管理部５１は、携帯端末１に記憶されている画像の枚数よりも少ない数の表示上限と、携帯端末１に記憶されている動画の再生時間よりも短い再生時間を決定する。
【００３４】
ステップＳ１２において、画像取得部５２は、簡易表示管理部５１による確認結果に基づいて、通信部１９を介して、携帯端末１から簡易表示に用いる画像（記憶される画像の一部）を取得する。画像取得部５２は、例えば、３５枚の画像が携帯端末１に記憶されている場合に、全ての画像の一部となる２０枚の画像を取得する。
【００３５】
ステップＳ１３において、出力制御部５３は、簡易表示用の画像を表示するように出力部１７を制御する。出力制御部５３は、表示する画像が動画である場合には、動画の初期フレームと、動画再生アイコンと、を表示するように出力部１７を制御する。
【００３６】
ステップＳ１４において、入力検出部５４は、動画再生アイコンが表示されて場合に、入力部１６に対して動画再生アイコンに対する選択操作があったか否かを判定する。
動画再生アイコンの選択操作がない場合には、ステップＳ１４においてＮＯと判定されて、処理はステップＳ１７に進む。
動画再生アイコンの選択操作があった場合には、ステップＳ１４においてＹＥＳと判定されて、処理はステップＳ１５に進む。
【００３７】
ステップＳ１５において、出力制御部５３は、動画を所定時間再生するように出力部１７を制御する。
【００３８】
ステップＳ１６において、出力制御部５３は、動画の再生が終了したため、誘導画面を表示するように出力部１７を制御する。
【００３９】
ステップＳ１７において、入力検出部５４は、入力部１６に対して切り替え操作があったか否かを判定する。
切り替え操作がない場合には、ステップＳ１７においてＮＯと判定されて、簡易表示処理は終了する。
切り替え操作があった場合には、ステップＳ１７においてＹＥＳと判定されて、処理はステップＳ１８に進む。
【００４０】
ステップＳ１８において、簡易表示管理部５１は、表示枚数が上限に達したか否かを判定する。
表示枚数が上限に達していない場合には、ステップＳ１８においてＮＯと判定されて、処理はステップＳ１３に戻る。
表示枚数が上限に達した場合には、ステップＳ１８においてＹＥＳと判定されて、処理はステップＳ１９に進む。
【００４１】
ステップＳ１９において、出力制御部５３は、表示枚数が上限に達したため、誘導画面を表示するように出力部１７を制御する。その後、簡易表示処理は終了する。
【００４２】
なお、本実施形態においては、外部装置である携帯端末１が保持するデータを簡易的に確認するようにしたが、リスト端末２が取得したデータを簡易的に確認してもよい。また、その際は、ステップＳ１９の誘導画面は表示されない。
【００４３】
以上のように構成されるリスト端末２は、通信部１９と、出力部１７と、出力制御部５３と、を備える。リスト端末２は、データを再生する再生制御装置である。
通信部１９は、データを取得する。
出力部１７は、画像取得部５２が取得したデータを再生する。
出力制御部５３は、当該リスト端末２のいかなる状態においても、データを全て再生することは禁止し、通信部１９が取得した全データよりも少ない量のデータのみの再生を許可するように出力部１７を制御する。
これにより、リスト端末２においては、データを長時間再生することによる不具合を解消することができる。
【００４４】
出力制御部５３は、通信部１９が取得したデータ数より少ない数のデータを出力部１７で再生、又はデータの記録時間より短い時間で、データの再生を許可するように出力部１７を制御して、全記録数のデータを出力部１７で再生しない、又はデータの総記録時間は再生しないように出力部１７を制御する。
これにより、リスト端末２においては、全記録数のデータを出力部１７で再生しない、又はデータの総記録時間は再生しないようにすることで、データを長時間再生することによる不具合を解消することができる。
【００４５】
データは、画像データである。
出力部１７は、表示出力可能に構成される。
出力制御部５３は、通信部１９が取得した全画像データよりも少ない量の画像データのみの再生を許可するように出力部１７を制御する。
これにより、リスト端末２においては、データを長時間再生することによる不具合を解消することができる。
【００４６】
出力制御部５３は、画像データが静止画の場合は、通信部１９が取得した画像データ数より少ない数の静止画を再生するように出力部１７を制御する。
また、出力制御部５３は、画像データが動画の場合は、当該動画の記録時間より短い時間、当該動画を再生するように出力部１７を制御する。
これにより、リスト端末２においては、静止画や動画においても、個別に簡易的に外部装置に保持されている画像のデータの確認することができる。
【００４７】
通信部１９は、外部装置が保持するデータを取得する。
これにより、リスト端末２においては、簡易的に外部装置に保持されている画像のデータの確認することができる。
【００４８】
出力制御部５３は、通信部１９が取得した全データよりも少ない量のデータを再生した後に、外部装置である携帯端末１で残りの再生を行うように促す旨の表示を行うように出力部１７を制御する。
これにより、リスト端末２においては、簡易的な確認の後にデータの記録主体である外部装置で視聴を行うように促すことができる。
【００４９】
また、リスト端末２は、外部装置である携帯端末１が保持する画像データを受信する通信部１９を備える。
出力制御部５３は、通信部１９で受信した画像データが静止画の場合は、外部装置である携帯端末１が保持する画像データの記録枚数より少ない数の静止画を再生するように出力部１７を制御する。
また、出力制御部５３は、通信部１９で受信した画像データが動画の場合は、当該動画の記録時間より短い時間、当該動画を再生するように出力部１７を制御する。
これにより、リスト端末２においては、外部装置である携帯端末１からデータを受信して、受信したデータの中から簡易的な再生を可能に出力制御部５３によって制御することができる。
【００５０】
また、リスト端末２は、外部装置である携帯端末１が保持する画像データを受信する通信部１９を備える。
通信部１９は、外部装置である携帯端末１から外部装置である携帯端末１が保持する画像データの記録枚数より少ない数、又は、外部装置である携帯端末１が保持する画像データの記録時間より短い時間、の画像データを受信する。
出力制御部５３は、受信した画像データを再生するように出力部１７を制御する。
これにより、リスト端末２においては、簡易的な再生を可能にする画像データを受信時に取得することができる。
【００５１】
外部装置である携帯端末１は、静止画撮影、及び又は、動画撮影が可能な撮像機能を有する撮像装置である。
リスト端末２は、外部装置である携帯端末１を制御可能なウェアラブル型装置である。
これにより、リスト端末２においては、撮像装置で撮影した画像をウェアラブル型装置で簡易的に確認することができる。
【００５２】
リスト端末２は、腕時計型装置である。
これにより、リスト端末２においては、腕に付けた状態で簡単に確認することができる。
【００５３】
なお、本発明は、上述の実施形態に限定されるものではなく、本発明の目的を達成できる範囲での変形、改良等は本発明に含まれるものである。
【００５４】
上述の実施形態では、簡易表示をする画像の枚数を取得時に制限するように構成したが、全ての画像を取得した後に、表示時に制限するように構成してもよい。また、携帯端末１からの画像データを全て取得した後に、リスト端末２側で簡易表示の枚数制限や加工等の簡易表示に係る処理を行ってもよいし、リスト端末２では表示のみを行い、携帯端末１側で簡易表示の枚数制限や加工等の簡易表示に係る処理を行うようにしてもよい。
【００５５】
また、上述の実施形態では、表示枚数や再生時間等の表示における量的な簡易表示を行うように構成したが、データ量を抑えることができればよく、画質を抑えたり、フレームレートを低くしたり等の質的な簡易表示を行うように構成してもよい。
【００５６】
また、上述の実施形態では、簡易的な確認を目的ともしているために、例えば、画像の場合には、最後に撮影された画像から撮影時間を遡って表示したり、動画の場合には、逆再生をしたり、表示／再生の順番を飛ばして表示したりするように構成してもよい。
【００５７】
また、上述の実施形態では、動画の場合には、画像と音声の全てを出力せずに音声のみ出力するように構成してもよい。
【００５８】
また、上述の実施形態では、出力可能なデータであればよく、画像（静止画、動画）のデータに限られず、音声のデータもよい。
【００５９】
また、上述の実施形態では、本発明が適用される携帯端末１及びリスト端末２は、スマートフォン及びスマートウォッチを例として説明したが、特にこれに限定されない。
例えば、本発明は、簡易表示処理機能を有する電子機器一般に適用することができる。具体的には、例えば、本発明は、ノート型のパーソナルコンピュータ、プリンタ、テレビジョン受像器、ビデオカメラ、携帯型ナビゲーション装置、携帯電話機、デジタルカメラ、ポータブルゲーム機等に適用可能である。
【００６０】
上述した一連の処理は、ハードウェアにより実行させることもできるし、ソフトウェアにより実行させることもできる。
換言すると、図４の機能的構成は例示に過ぎず、特に限定されない。即ち、上述した一連の処理を全体として実行できる機能が携帯端末１及びリスト端末２に備えられていれば足り、この機能を実現するためにどのような機能ブロックを用いるのかは特に図４の例に限定されない。
また、１つの機能ブロックは、ハードウェア単体で構成してもよいし、ソフトウェア単体で構成してもよいし、それらの組み合わせで構成してもよい。
【００６１】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００６２】
このようなプログラムを含む記録媒体は、ユーザにプログラムを提供するために装置本体とは別に配布される図３のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図３のＲＯＭ１２や、図３の記憶部１８に含まれるハードディスク等で構成される。
【００６３】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
また、本明細書において、システムの用語は、複数の装置や複数の手段などより構成される全体的な装置を意味するものとする。
【００６４】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【００６５】
以下に、本願の出願当初の特許請求の範囲に記載された発明を付記する。
［付記１］
データを再生する再生制御装置であって、
データを取得する取得部と、
前記取得部が取得したデータを再生する再生部と、
当該再生制御装置のいかなる状態においても、前記データを全て再生することは禁止し、前記取得部が取得した全データよりも少ない量のデータのみの再生を許可するように前記再生部を制御する再生制御手段と、
を備えることを特徴とする再生制御装置。
［付記２］
前記再生制御手段は、前記取得部が取得したデータ数より少ない数、又は前記データの記録時間より短い時間で、前記データの再生を許可するように前記再生部を制御して、全記録数のデータ、又は前記データの総記録時間は再生しないように前記再生部を制御する、
ことを特徴とする付記１に記載の再生制御装置。
［付記３］
前記データは、画像データであり、
前記再生部は、表示部であり、
前記再生制御手段は、前記取得部が取得した全画像データよりも少ない量の画像データのみの再生を許可するように前記表示部を制御する、
ことを特徴とする付記１又は２に記載の再生制御装置。
［付記４］
前記再生制御手段は、
前記画像データが静止画の場合は、前記取得部が取得した画像データ数より少ない数の静止画を再生するように前記表示部を制御し、
前記画像データが動画の場合は、当該動画の記録時間より短い時間、当該動画を再生するように前記表示部を制御する、
ことを特徴とする付記３に記載の再生制御装置。
［付記５］
前記取得部は、外部装置が保持するデータを取得する、
ことを特徴とする付記３又は４に記載の再生制御装置。
［付記６］
前記再生制御手段は、前記取得部が取得した全データよりも少ない量のデータを再生した後に、前記外部装置で残りの再生を行うように促す旨の表示を行うように前記表示部を制御する、
ことを特徴とする付記５に記載の再生制御装置。
［付記７］
前記外部装置が保持する画像データを受信する受信部を備え、
前記再生制御手段は、
前記受信部で受信した画像データが静止画の場合は、前記外部装置が保持する画像データの記録枚数より少ない数の静止画を再生するように前記表示部を制御し、
前記受信部で受信した画像データが動画の場合は、当該動画の記録時間より短い時間、当該動画を再生するように前記表示部を制御する、
ことを特徴とする付記５又は６に記載の再生制御装置。
［付記８］
前記外部装置が保持する画像データを受信する受信部を備え、
前記受信部は、前記外部装置から前記外部装置が保持する画像データの記録枚数より少ない数、又は、前記外部装置が保持する画像データの記録時間より短い時間、の画像データを受信し、
前記再生制御手段は、受信した画像データを再生するように前記表示部を制御する、
ことを特徴とする付記５又は６に記載の再生制御装置。
［付記９］
前記外部装置は、静止画撮影、及び又は、動画撮影が可能な撮像装置であり、
当該再生制御装置は、前記撮像装置を制御可能なウェアラブル型装置である、
ことを特徴とする付記５乃至８の何れか一項に記載の再生制御装置。
［付記１０］
当該再生制御装置は、腕時計型装置である、
ことを特徴とする付記９に記載の再生制御装置。
［付記１１］
データを再生する再生部を備える再生制御装置で実行される再生制御方法であって、
データを取得する取得ステップと、
当該再生制御装置のいかなる状態においても、前記データを全て再生することは禁止し、前記取得ステップが取得した全データよりも少ない量のデータのみの再生を許可するように前記再生部を制御する再生制御ステップを含む、
ことを特徴とする再生制御方法。
［付記１２］
データを再生する再生部を備える再生制御装置を制御するコンピュータを、
データを取得する取得部、
当該再生制御装置のいかなる状態においても、前記データを全て再生することは禁止し、前記取得部が取得した全データよりも少ない量のデータのみの再生を許可するように前記再生部を制御する再生制御手段、
として機能させることを特徴とするプログラム。
【符号の説明】
【００６６】
１・・・携帯端末，２・・・リスト端末，１１・・・ＣＰＵ，１２・・・ＲＯＭ，１３・・・ＲＡＭ，１４・・・バス，１５・・・入出力インターフェース，１６・・・入力部，１７・・・出力部，１８・・・記憶部，１９・・・通信部，２０・・・ドライブ，３１・・・リムーバブルメディア，５１・・・簡易表示管理部，５２・・・画像取得部，５３・・・出力制御部，５４・・・入力検出部，Ｓ・・・表示システム
【図１】
0006582965.tif 000002
【図２】
0006582965.tif 000003
【図３】
0006582965.tif 000004
【図４】
0006582965.tif 000005
【図５】
0006582965.tif 000006